(57)【特許請求の範囲】
【請求項１】
基地局との間での通信を拡散符号により多重して行うCDMAシステムにおける移動局において、
接続中の基地局からの信号を受信する受信手段と、
受信された信号に含まれる接続中の基地局の周辺基地局として最も近い基地局からなる第１の基地局と次に近い基地局からなる第２の基地局に分けて、それぞれの基地局に固有の拡散符号を認識する認識手段と、
前記接続中の基地局からの信号の受信品質を検出するための検出手段と、
前記検出手段によって検出された受信品質がしきい値よりも大きい場合には、前記認識された拡散符号をもとにした第１の基地局からの信号の受信品質を測定し、前記検出手段によって検出された受信品質がしきい値よりも小さい場合には、前記認識された拡散符号をもとにした前記第１、第２の基地局からの信号の受信品質を測定するよう制御する制御手段とを備えることを特徴とする移動局。
【請求項２】
基地局との間での通信を拡散符号により多重して行うCDMAシステムにおける移動局において、
接続中の基地局からの信号を受信する受信手段と、
受信された信号に含まれる接続中の基地局に近い第１の基地局と第１の基地局よりも接続中の基地局から遠い第２の基地局に分けて、それぞれの基地局に固有の拡散符号を認識する認識手段と、
前記接続中の基地局からの信号の受信品質を検出するための検出手段と、
前記検出手段によって検出された受信品質がしきい値よりも大きい場合には、前記認識された拡散符号をもとにした第１の基地局からの信号の受信品質を測定し、前記検出手段によって検出された受信品質がしきい値よりも小さい場合には、前記認識された拡散符号をもとにした前記第１、第２の基地局からの信号の受信品質を測定するよう制御する制御手段とを備えることを特徴とする移動局。
【発明の詳細な説明】
【０００１】
【発明の属する技術分野】
本発明は、ＣＤＭＡシステムに用いられる移動局に関する。
【０００２】
【従来の技術】
ＣＤＭＡシステムは、複数の通信を多重するために同じ周波数上で、複数の拡散符号を使って多重するシステムである。このＣＤＭＡシステムではＦＤＭＡやＴＤＭＡに比べて、次の理由から消費電力が大きく、バッテリ寿命が短いという課題がある。
【０００３】
すなわち、セルラシステムでは、移動局の移動に伴って無線チャネルを切替える、ハンドオーバ処理を行う。ハンドオーバを行う際に移動局は、基地局からの信号の受信品質を検出し、その結果をもとにチャネルの切替を行うかどうかを判断する。上記受信品質を検出する場合、ＦＤＭＡやＴＤＭＡ方式の移動局では、基地局からのＲＦ信号の受信電界強度を検出する。
【０００４】
これに対してＣＤＭＡシステムでは、ＲＦ信号だけで各信号を見ると、同じ周波数を使っているので、それぞれのＲＦ信号を  ベースバンド信号に復調し、それぞれの信号に割り当てられたＰＮ符号を信号に掛け合わせて逆拡散して、それぞれの信号を分離できる。
このため、ＣＤＭＡシステムにおける移動局では、ハンドオーバに際しＲＦ部に止まらず受信系のＩＦ部、ベースバンド部といった多くの回路が動作することになり、これによって受信系で多くの電流が消費される。
【０００５】
しかも、ＣＤＭＡシステムでは、ハンドオーバを行うに際し、接続中の基地局からの信号の受信品質と、隣接する基地局からの信号の受信品質を測定して（これは移動局がハンドオーバを助ける制御を行っているということで、Ｍｏｂｉｌｅ  Ａｓｓｉｓｔ  ハンドオーバ  通称、ＭＡＨＯ機能といわれている）比較し、隣接基地局からの信号の受信品質が所定の判定基準値以上良好な場合は、接続中の基地局のチャネルから隣接基地局のチャネルへの切替を行う。
【０００６】
ところが、従来のＣＤＭＡシステムでは、接続中の基地局からの信号の受信品質の善し悪しに係わらず、ＭＡＨＯ制御を行っていた。このため、接続中の基地局からの信号受信品質が良い場合でも、ＭＡＨＯを行っていたので、多くの電力が消費されていた。
【０００７】
【発明が解決しようとする課題】
上述のごとく、従来の移動局では接続基地局からの信号の受信レベルによらずにハンドオーバを行っていたので、電力消費を招いていた。
そこで、ハンドオーバに必要な移動局での処理をできるだけしないようにすることにより電力消費を抑えることのできる移動局を提供することを目的とする。
【０００８】
【課題を解決するための手段】
本発明は、基地局との間での通信を拡散符号により多重して行うCDMAシステムにおける移動局において、接続中の基地局からの信号を受信する受信手段と、受信された信号に含まれる接続中の基地局の周辺基地局として最も近い基地局からなる第１の基地局と次に近い基地局からなる第２の基地局に分けて、それぞれの基地局に固有の拡散符号を認識する認識手段と、前記接続中の基地局からの信号の受信品質を検出するための検出手段と、前記検出手段によって検出された受信品質がしきい値よりも大きい場合には、前記認識された拡散符号をもとにした第１の基地局からの信号の受信品質を測定し、前記検出手段によって検出された受信品質がしきい値よりも小さい場合には、前記認識された拡散符号をもとにした前記第１、第２の基地局からの信号の受信品質を測定するよう制御する制御手段とを備えることで上記目的を達成する。
【０００９】
【発明の実施の形態】
本発明の一実施例を説明する。CDMA移動通信システムでは、複数の基地局が分散配置されている。これらの基地局にはそれぞれセルを形成されている。そして、これらのセルをそれぞれ複数のセクタに分割している。各セクタには、それぞれ拡散符号が割り当てられている。
【００１０】
移動端末装置は、通話状態のときには、接続中の基地局との通信の間に、接続中の基地局からの信号の中に隣接する基地局のそれぞれに相当する拡散符号の通知を受信する。この情報をもとに、接続中の基地局との通信の間にも、隣接する基地局の受信品質も同時に検出するようになっている。そして、接続中の基地局からの信号の受信品質よりも隣接する基地局からの信号の受信品質が、判定基準レベル大きい場合には、隣接する基地局のうちもっとも受信品質の良い信号を放送する基地局に切替えるハンドオーバ処理をする。
【００１１】
本発明は、ハンドオーバ処理の要否判定を独自の方式により行っている点に特徴がある。
図１は、本実施形態に係わる移動局の構成を示すブロック部である。
【００１２】
同図において、マイク１０ａから出力された送話音声信号は、Ａ／Ｄ変換機１１ａでデジタル信号に変換されたのち、音声符号化を行うエンコーダ１４に入力される。エンコーダでは音声符号化により、少ないデータに圧縮される。
【００１３】
符号化されたデジタル音声信号は、誤り訂正符号化部１６で誤り検出符号、誤り訂正符号が付加される。そして、符号化データは、基地局との間で都度ネゴシエーションされて決められるＰＮ符号により、スペクトラム拡散器１８で拡散される。拡散された信号は、デジタルフィルタ２０で不要な周波数成分が除去されたのち、Ｄ／Ａ変換器２４でアナログ信号に変換される。このアナログ信号は、ＲＦ部２６で無線周波数に変換されたのち、所定の電力レベルに上げられてアンテナ２８経由で送信される。
【００１４】
一方、アンテナ２８で受信される無線信号は、ＲＦ部２６で増幅されたのちにベースバンド（低周波帯）にダウンコンバートされる。このダウンコンバートされた信号は、Ａ／Ｄ変換器３０で所定のサンプリング周期でデジタル信号に変換されたのち、ＲＡＫＥ受信部３２とサーチ受信部３４に入力される。
【００１５】
ＲＡＫＥ受信部３２は、３個のフィンガ回路と、これらのフィンガ回路の出力信号をシンボル合成するシンボル合成器とを有する。フィンガ回路は受信レベルの大きい所望のパスの受信信号に対し逆拡散を行うことにより、異なる３つのパスの受信信号を合成する。
サーチ受信部３４は、あらかじめ基地局から通知された周辺基地局固有の拡散符号を受信ベースバンド信号に掛けて相関を調べることにより、接続中の基地局の周辺の基地局からの信号の受信品質を測定するために使われる。このデータは制御部に取り込まれる。
【００１６】
ＲＡＫＥ受信部３２から出力されたシンボルは、誤り訂正復号化部３８で誤り復号化処理されて、受信データとなる。受信データのうち、音声データはデコーダ４０で音声復号され、Ｄ／Ａ変換器４２でアナログ信号に変換されたのち、スピーカ４４から出力される。
【００１７】
ＣＤＭＡ移動無線システムでは、接続している基地局との通信の間にも、周辺の基地局に関する情報ネイバーリストを受信している。この情報をもとに周辺基地局からの信号の受信品質も検査することで、移動局自身がハンドオーバすべきかどうかの判断のためのデータをそろえるＭＡＨＯ機能を有している。
【００１８】
周辺基地局からの信号の受信品質の検査は、決められた間隔で行うように決まっているが、従来は接続中の基地局からの信号の受信品質の善し悪しにかかわらずに検査を行っていた。特にＣＤＭＡシステムでは、周辺基地局が同じ周波数を使用しているために、RF信号での品質比較ではどの基地局が条件が良いかという判定ができない。そのために、ベースバンド信号に周波数を落として、ベースバンド信号に対して、基地局ごとに決められている拡散信号をかけて逆拡散することにより、周辺基地局からの信号を分離して、そのときの受信品質をチェックする。ゆえに従来のＴＤＭＡでのＭＡＨＯのようなＲＦ信号により周辺基地局の信号の受信品質を見られる場合に比べて、電力を消費してしまう。そこで、本発明は、CDMAシステムでのＭＡＨＯ機能を不必要な場合には省略して電力消費しにくくするようにしたものである。
【００１９】
図２は、接続中の基地局からの信号の受信品質がある一定以上だったら、周辺基地局の受信信号レベルをチェックしない、つまりMAHO動作を行わないという機能を表示したものである。
【００２０】
ステップ１０２で接続中の基地局からは、隣接基地局に割り当てられている拡散符号情報（ネイバーリスト）を受信する。そして接続中の基地局からの信号の受信レベルをベースバンド帯に落としたものを逆拡散して測定して、あらかじめ決めたしきい値THと比較する（ステップ１０４）。
【００２１】
これにより、十分受信品質が良いと判断された場合、隣接基地局からの信号の受信レベルの測定（MAHO）を禁止して（ステップ１０６）、新たにネイバーリストの受信を待つ。
一方、ステップ１０４で接続中の基地局からの信号品質がしきい値より悪い場合には、通常の隣接基地局からの受信信号の測定を行い（ステップ１０８）、得られた情報をもとに、ハンドオーバすべきかどうかの判定、制御処理（以下これを通常のハンドオーバ処理という、ステップ１１０）を行う。
【００２２】
図３は、異なる実施例を示す。図２の実施例と異なる点は、接続中の基地局からの信号の受信品質がしきい値よりも良い場合の処理が違う。したがって、受信レベルの判定処理（ステップ２０２、２０４）は、図２と同じなので、説明を省略する。
ステップ２０４で受信レベルがしきい値よりも良い場合は、隣接基地局からの信号の受信レベルの検出間隔を、従来での検出間隔T2よりも長いT1で行うように検出間隔を設定する（ステップ２０６）。このようにすることで、接続中の基地局からの信号の受信品質が良い場合は、ＭＡＨＯの実行スパンを長くすることで、電池消費を抑えることが可能となる。
【００２３】
もし、ステップ２０４で接続中の基地局からの信号の受信品質がしきい値よりも良くない場合は、Ｔ１の間隔でＭＡＨＯを行う（ステップ２０８）。ステップ２０６，２０８での処理が終わると、通常のハンドオーバ処理がなされる（ステップ２１０）
図３は、別の実施例を示した図である。ステップ３０２で接続中の基地局から、次の情報を受信する。
【００２４】
１．最も近接した基地局に割り当てられたPN符号
２．１の基地局の周りに位置する基地局に割り当てられたPN符号
そして、接続中の基地局からの信号の受信レベルが、しきい値以上かどうかを判定し（ステップ３０４）、受信品質が良い場合は、１の最も近接した基地局のＰＮ符号のみを用いて受信品質を検出する（ステップ３０６）。こうすることで、接続中の基地局からの受信品質が良い場合は、周辺基地局の受信品質検出を最小限にできるので、電力消費を抑えられる。
【００２５】
もし、受信品質が悪い場合は、隣接基地局のうち、１、２の両方の基地局のＰＮ符号を使って、受信品質を測定する（ステップ３０８）。ステップ３０６，３０８での測定情報をもとに通常のハンドオーバを行う（ステップ３１０）。
【００２６】
図４は、隣接基地局の信号品質を判定するためのしきい値をあらかじめ決めておくのではなく、接続中の基地局ごとに設定しておいて、その値を接続中の基地局から受信する（ステップ４０２）。受信したしきい値TH１よりも、接続中の基地局からの信号の受信レベルの方が大きいかどうかを判定し（ステップ４０４）、大きい場合は隣接基地局からの信号の受信レベルの測定を禁止（ステップ４０６）して、次なるしきい値とネイバリストの通知を待つ。
【００２７】
小さい場合は隣接基地局からの信号の受信レベルの測定を行い、（ステップ４０８）通常のハンドオーバ処理を行う（ステップ４１０）。
図５は、受信レベル判定のためのしきい値を２段階にする点が上記説明した実施例と異なるところである。すなわち、接続中の基地局からネイバリストを受信する（ステップ５０２）。そして、接続中の基地局からの信号の受信レベルが第１のしきい値TH１よりも大きいかどうかを判定し（ステップ５０４）、大きい場合は、隣接基地局からの信号の受信レベル検出間隔Ｔをもっとも大きい値Ｔ３に設定する（ステップ５０６）。しきい値TH１よりも小さい場合は、受信レベルを第２のしきい値TH２（TH２はTH１よりも小さい値）と比較し（ステップ５０８）、TH２よりも大きい場合はＭＡＨＯの間隔ＴをＴ２とする。Ｔ２はＴ３よりも小さい値である。
【００２８】
もし、ステップ５０８で接続中基地局の受信信号のレベルが、TH２よりも小さい場合は、ＭＡＨＯの実行間隔ＴをＴ１とする（ステップ５１２）。Ｔ１はＴ２よりも小さい値である。したがって、Ｔ１，Ｔ２，Ｔ３の関係は、Ｔ３＞Ｔ２＞Ｔ１の関係となる。
ステップ５０６，５１０，５１２の設定が終わると、通常のＭＡＨＯ、ハンドオーバ処理がなされる（ステップ５１４）
【００２９】
【発明の効果】
以上説明したように、本発明では、ＣＤＭＡシステムにおいて、ハンドオーバを行うための周辺基地局からの信号の受信レベルの測定にあたり、接続中の基地局からの信号の受信レベルが大きい場合は、その測定を行わないか、測定間隔を通常よりも大きくするなどして、電池消費を抑えることを可能とする。
【図面の簡単な説明】
【図１】本発明の実施例を示すブロック図
【図２】本発明の実施例の移動局での第１の制御を示すフローチャート図
【図３】本発明の実施例の移動局での第２の制御を示すフローチャート図
【図４】本発明の実施例の移動局での第３の制御を示すフローチャート図
【図５】本発明の実施例の移動局での第４の制御を示すフローチャート図
【図６】本発明の実施例の移動局での第５の制御を示すフローチャート図
【符号の説明】
３４…サーチ受信部
３６…制御部
【図１】
0004309521.tif 000002
【図２】
0004309521.tif 000003
【図３】
0004309521.tif 000004
【図４】
0004309521.tif 000005
【図５】
0004309521.tif 000006
【図６】
0004309521.tif 000007